(57)【要約】      （修正有）【課題】ベランダやバルコニーに置いてあるサンダル等を縦に立てて置くことによって、濡れても雨水がサンダル等に残らずにすぐ乾き、泥砂等の埃も付着しにくくするベランダ用サンダルスタンドを提供する。【解決手段】本体底部全体に孔を開け水捌けをよくする。さらに側面にも孔を開け風通しを良くして、サンダルの乾燥を早める。サンダルを縦に立てて置くことで、埃の付着はほとんど起こらないが、サンダル全体に風が当たることで埃が僅かに付着しても取り除くことができる。またベランダやバルコニーでは当然強めの風が吹き抜けることがあり転倒も考えられる。それを解決するために本体底部四隅に張り出し部分を設け安定性を高める。【選択図】図４
0003180532.tif 000002
【実用新案登録請求の範囲】
【請求項１】
ベランダ、バルコニーに置いてあるサンダル等を縦に立てて置くことによって雨や埃からの汚れを軽減し、足を汚さずに履けるベランダ用サンダルスタンド。
【請求項２】
本体側面底部四隅の張り出し部分によって安定性を高め、サンダル等に強めの風が当たった場合でも転倒を防ぐ。
【請求項３】
本体底部に孔を開けることで内部に雨水が溜まることがなく、さらに側面の孔によって風通りが良くなりサンダルの乾燥を早める。
【考案の詳細な説明】
【技術分野】
【０００１】  本考案はベランダ、バルコニーのサンダル等を縦に立てて置くことによって、雨で濡れても雨水がサンダルに溜まらずにすぐ乾き、泥砂等の埃も付着しにくくするベランダ用サンダルスタンドに関するものである。
【背景技術】
【０００２】  これまで戸建て、集合住宅に関わらず多くの家庭で、洗濯物を干す等の用向きで既に置いているサンダル等を履いてベランダ、バルコニーに出ていた。既に長時間おいていたサンダル等の足を載せる土台の凹部には雨水が残っていたり、全体に泥砂等の埃が覆っている。埃が少ない場合もあるが、気になれば水洗いしたり埃を払い落としたりしなければならなかった。
そこで、サンダルを縦に立てて置くことによって、雨水で濡れても雨が止めば雨水は下に落ち、泥砂等の埃もほとんど付着することが起こらない。
【先行技術文献】
【０００３】
【特許文献】
【特許文献】  特許公開１０−５００３
【０００４】  ベランダにあるサンダル等を雨、埃等の汚れから防ぐものについては既に特許出願されていた。ベランダ用サンダルカバーと言う名称で、平に置いてあるサンダルをすっぽり覆ってしまうカバーであり、確かに雨、埃等の汚れを防ぐことはできるが、サンダルを覆う大きさのカバー部分を取り外して置き直すと、ベランダの広い部分を占領し人が作業する上で妨げになるであろう。その点、本考案はサンダルだけをを平に置くよりさらに少ない面積で設置できて邪魔にならず、カバーをその都度外したり嵌め直したりする必要がない。
【考案の概要】
【考案が解決しようとする課題】
【０００５】  サンダルを縦に立てて置くことで、雨水で濡れても雨が止めば雨水はほとんど下に落ち、泥砂等の埃もほとんど付着することがない。それを確実にするために、本体底部全体に孔を開け水捌けをよくする。さらに側面にも孔を開け風通しを良くして、サンダルの乾燥を早める。サンダルを縦に立てて置くことで、埃の付着はほとんど起こらないが、サンダル全体に風が当たることで埃が僅かに付着しても取り除くことができる。側面の孔はサンダルスタンド本体のデザイン性向上にも寄与する。
また、サンダルを縦にしっかりと立てて置く場合、ある程度のホールド性を保ちつつ、簡単に取り出したり入れ戻したりできなければならない。サンダルのサイズや形状は様々で、どのようなサイズや形状のサンダルに対しても、ホールド性を保ち且つ簡単に取り出したり入れ戻したりできるようにする。さらにベランダやバルコニーでは強めの風が吹き抜けることがあり転倒することも考えられる。
【課題を解決するための手段】
【０００６】  様々なサイズや形状のサンダルに対しても、ある程度のホールド性を保ち且つ簡単に取り出したり入れ戻したりできるようにするために、サンダルスタンド本体のサイズをＳ・Ｍ・Ｌ等数種類用意し、サンダルの踵の部分の形状の違いに対応できるように、本体の縦横の内径の比率に変化を与える。また強めの風で転倒しないように本体底部四隅に張り出し部分を付け安定性を高める。さらにベランダ床面との接地部分の素材にゴムを使用して滑りに対する抵抗を大きくする。本体の素材はプラスチックにする。
【考案の効果】
【０００７】  ベランダに出るためにサンダルをベランダに置いている家庭は多い。しかしそのサンダルを履く度に足裏に湿り気や砂や泥の汚れを感じたり、見た目で汚れを確認し水洗いをして布で拭いたり、さらには別のサンダルに代えたりする場合が多い。本考案のベランダ用サンダルスタンドにサンダルを立てて入れておけば、そのような煩わしさはほとんどなくなる。なお本考案は一般家庭だけにとどまらず、旅館、ホテル等でもその利用が期待できる。
【図面の簡単な説明】
【０００８】
【図１】  平面図
【図２】  正面図
【図３】  側面図
【図４】  投影図（一般的なサンダルを入れた状態で示した）
【図５】  底部接地部分の詳細図（１）
【図６】  底部接地部分の詳細図（２）
【考案を実施するための形態】
【０００９】  投影図（図４）で示したように、サンダルをかかとの部分を下にしてベランダ用サンダルスタンド本体（１）に左右それぞれに入れる。かかとの部分を下にして入れることで取り出すときに甲の部分を持って簡単に取り出すことができる。サンダルスタンド本体は左右、前後対称である。
【実施例】
【００１０】  サンダルを履き終わった後、再度サンダルをベランダ用サンダルスタンドに立てて入れておけば、雨が降っても止めばサンダルが縦の状態にあることで雨水がサンダルからすぐに落ち、本体底部の孔（２）からすぐに下に流れ落ちる。さらに側面の孔（３）からの通風によって、サンダルの乾燥を早める。泥砂等の埃もサンダルが縦の状態であることでほとんど付着することがない。
本体底部の張り出し部下方に突起形状物（５）を付け、それにぴったりと嵌まるゴムを被せ本体四隅に配置し、ベランダ床面との滑りに対する抵抗を大きくして滑りにくくさせる。突起形状物の元の部分の径を小さくすることで被せたゴムが外れないようにする。
【符号の説明】
【００１１】１  ベランダ用サンダルスタンド本体
２  雨水を流し落とすための本体底部の孔
３  通風のための本体側面の孔
４  仕切板
５  本体をベランダ床面より滑りにくくするためのゴム
６  本体底部の突起形状物
【図１】
0003180532.tif 000003
【図２】
0003180532.tif 000004
【図３】
0003180532.tif 000005
【図４】
0003180532.tif 000006
【図５】
0003180532.tif 000007
【図６】
0003180532.tif 000008
【手続補正書】
【提出日】平成24年10月3日(2012.10.3)
【手続補正１】
【補正対象書類名】実用新案登録請求の範囲
【補正対象項目名】全文
【補正方法】変更
【補正の内容】
【実用新案登録請求の範囲】
【請求項１】
本体を底板と仕切板のある筒型の形状にすることで、ベランダ、バルコニーに置いてあるサンダル等一足を縦に立てた状態で保持し、サンダル等の雨や埃からの汚れを軽減し、足を汚さずに履けることを特徴とするベランダ用サンダルスタンド。
【請求項２】
本体側面底部四隅の張り出し部分によって安定性が高められ、サンダル等に強めの風が当たった場合でも転倒を防ぐことを特徴とする請求項１記載のベランダ用サンダルスタンド。
【請求項３】
本体底部に孔を開けることで内部に雨水が溜まることがなく、さらに側面の孔によって風通りが良くなりサンダルの乾燥を早めることを特徴とする請求項２記載のベランダ用サンダルスタンド。
【手続補正２】
【補正対象書類名】図面
【補正対象項目名】図３
【補正方法】変更
【補正の内容】
【図３】
0003180532.tif 000009